(57)【要約】      （修正有）【課題】床板の施工前、あるいは施工中に、桁に対してパネルを取り付けできるようにする。【解決手段】床板を桁２で支えた構造物に、前記桁２の下面を覆うパネル３を取り付けるパネルの取付方法において、前記桁２に、高さ調整手段１０を備えた吊部材１１を介して取付梁１を吊し、その取付梁１に前記パネル３を固定した後、前記桁２上に床板を施工するとともに、前記高さ調整手段１０により、前記床板の施工に伴う前記桁２の各部の撓み量に応じて前記桁２と前記取付梁１との高低差を調整する。床板の施工によって桁２が撓んだ際に、高さ調整手段１０により、桁２の各部の撓み量に応じてその桁２と取付梁１との高低差を調整することができるので、桁２の撓みによるパネル３の変形や脱落を防止することができる。すなわち、床板の施工前、あるいは施工中に、桁２に対してパネル３を取り付けできる。【選択図】図２（ｄ）
2010065431.tif 000002
【特許請求の範囲】
【請求項１】
床板（４）を桁（２）で支えた構造物に、前記桁（２）の下面を覆うパネル（３）を取り付けるパネルの取付方法において、
前記桁（２）に、高さ調整手段（１０）を備えた吊部材（１１）を介して取付梁（１）を吊し、その取付梁（１）に前記パネル（３）を固定した後、前記桁（２）上に床板（４）を施工するとともに、前記高さ調整手段（１０）により、前記床板（４）の施工に伴う前記桁（２）の各部の撓み量に応じて前記桁（２）と前記取付梁（１）との高低差を調整することを特徴とするパネルの取付方法。
【請求項２】
前記高さ調整手段（１０）はターンバックルであることを特徴とする請求項１に記載のパネルの取付方法。
【請求項３】
前記高さ調整手段（１０）は、連続する一つの取付梁（１）を支える少なくとも二つの前記吊部材（１１，１１）にそれぞれ設けられることを特徴とする請求項１又は２に記載のパネルの取付方法。
【請求項４】
前記高さ調整手段（１０）を備えた少なくとも二つの前記吊部材（１１，１１）の間に、一方の前記吊部材（１１）の上端と他方の前記吊部材（１１）の下端とを結ぶブレース（１６，１７）を設けることを特徴とする請求項３に記載のパネルの取付方法。
【請求項５】
前記高さ調整手段（１０）を備えた少なくとも二つの前記吊部材（１１，１１）の間に、他方の前記吊部材（１１）の上端と一方の前記吊部材（１１）の下端とを結ぶブレース（１６，１７）を設けることを特徴とする請求項４に記載のパネルの取付方法。
【請求項６】
請求項１乃至５のいずれかに記載のパネルの取付方法によるパネルの取付構造であって、前記桁（２）に、高さ調整手段（１０）を備えた吊部材（１１）を介して取付梁（１）を吊し、その取付梁（１）に固定手段（２０）によって前記パネル（３）が固定されており、前記高さ調整手段（１０）により、前記桁（２）上への床板（４）の施工に伴う前記桁（２）の各部の撓み量に応じて前記桁（２）と前記取付梁（１）との高低差が調整可能となっていることを特徴とするパネルの取付構造。
【請求項７】
前記高さ調整手段（１０）はターンバックルであることを特徴とする請求項６に記載のパネルの取付構造。
【請求項８】
前記高さ調整手段（１０）を、連続する一つの取付梁（１）を支える少なくとも二つの前記吊部材（１１，１１）にそれぞれ設けたことを特徴とする請求項６又は７に記載のパネルの取付構造。
【請求項９】
前記高さ調整手段（１０）を備えた少なくとも二つの前記吊部材（１１，１１）の間に、一方の前記吊部材（１１）の上端と他方の前記吊部材（１１）の下端とを結ぶブレース（１６，１７）を設けたことを特徴とする請求項８に記載のパネルの取付構造。
【請求項１０】
前記高さ調整手段（１０）を備えた少なくとも二つの前記吊部材（１１，１１）の間に、他方の前記吊部材（１１）の上端と一方の前記吊部材（１１）の下端とを結ぶブレース（１６，１７）を設けたことを特徴とする請求項９に記載のパネルの取付構造。
【発明の詳細な説明】
【技術分野】
【０００１】
この発明は、橋梁や高架橋など桁構造を有する構造物において、その構造物の桁に取り付けられるパネルの取付方法、及びそのパネルの取付構造に関するものである。
【背景技術】
【０００２】
橋梁や高架橋等の桁構造を有する構造物には、その桁構造物の下を通行する車両の騒音が、桁下面で反射して周囲に拡がるのを防止するために、吸音性を有する吸音パネルが取り付けられる。また、桁下面の美粧化を目的として、化粧パネルが取付けられる場合もある。
【０００３】
これらのパネルの取付構造について説明すると、例えば、図６に示すように、床板４を支える断面Ｉ型の桁２の下に、固定用治具５を用いて取付梁１を設置する。取付梁１は、複数本が並行に又は格子状に設けられ、その相対する取付梁１間に掛け渡すようにパネル３が固定される。
【０００４】
通常、このパネル３の取付け箇所は高所であるために、桁２の下に足場（図示せず）を組んで施工される。足場は、地上から立ち上げられる場合もあるが、桁２の下に道路などが通っている場合、足場は桁２から吊りおろされる。
その足場上に作業者が乗って、前記固定用治具５及び取付梁１等を用いて、パネル３の桁２への取付作業を行う（例えば、特許文献１、２又は３参照）。
【０００５】
取付梁１へのパネル３の取付構造としては、例えば、図５に示す固定手段２０を用いたものが挙げられる。この取付構造では、前記パネル３に上向きの締付ボルト７を取り付けて、その締付ボルト７をパネル３の両端間を結ぶ方向（図中の長孔３ｂの伸びる方向）にスライド可能とし、前記取付梁１の下フランジ１ｂには、前記締付ボルト７が挿通される長孔１ｄを、前記締付ボルト７のスライド方向に交差する方向に形成する。
その長孔１ｄに、前記締付ボルト７の軸部７ｃを頭部７ｂを下向きにして挿通し、その軸部７ｃにナット７ａをねじ込む。そのねじ込みによる締結によって、前記取付梁１にパネル３を取付ける。なお、前記長孔３ｂは断面Ｔ字状であり、ボルト７の頭部７ｂを収容可能な嵌合部３ｃと、その嵌合部３ｃの上方に位置し、前記頭部７ｂが通り抜けない幅の係止部３ｄとを備えている。
【０００６】
締付ボルト７の位置がパネル３の長さ方向に対して調整でき、また、その締付ボルト７の取付梁１への係止位置は長孔１ｄに沿って調整できる（例えば、特許文献４参照）。
【０００７】
【特許文献１】特開平１１−１８１７１８号公報
【特許文献２】特開平１１−１８１７２６号公報
【特許文献３】特開２００４−０５２３８２号公報
【特許文献４】特開２００４−１５６３９２号公報
【発明の開示】
【発明が解決しようとする課題】
【０００８】
従来、桁２へのパネル３の取り付けは、桁２上に床板４を施工した後に行っていた。これは、仮に、パネル３の取り付け後に床板４を施工すると、その床板４の自重で桁２が撓むので、その桁２の撓みによって、取付梁１が変形し、パネル３が変形あるいは脱落する恐れがあるからである。あるいは、パネル３の変形や脱落が生じないまでも、パネル３の取付け位置によって桁２の撓み量が異なるため、隣り合うパネル３同士に段差ができたり、意図しない勾配が生じたりし、美観を損なうからである。
【０００９】
このように、床板４の施工を待ってパネル３を取り付けると、長い工期を必要とする。この種の構造物の施工に求められる一般的な要請として、工期はできる限り短いことが望ましい。
【００１０】
そこで、この発明は、床板の施工前に、あるいは施工中に、桁に対してパネルを取り付けできるようにすることを課題とする。
【課題を解決するための手段】
【００１１】
上記の課題を解決するために、この発明は、床板を桁で支えた構造物に、前記桁の下面を覆うパネルを取り付けるパネルの取付方法において、前記桁に、高さ調整手段を備えた吊部材を介して取付梁を吊し、その取付梁に前記パネルを固定した後、前記桁上に床板を施工するとともに、前記高さ調整手段により、前記床板の施工に伴う前記桁の各部の撓み量に応じて前記桁と前記取付梁との高低差を調整することを特徴とするパネルの取付方法を採用した。
【００１２】
このようにすれば、床板の施工によって桁が撓んだ際に、高さ調整手段により、桁の各部の撓み量に応じてその桁と取付梁との高低差を調整することができる。このため、桁の撓みによるパネルの変形や脱落を防止することができる。すなわち、床板施工前の桁に対してパネルを取り付けできる。
【００１３】
なお、前記高さ調整手段として、部材の伸縮等によって高さの調整が可能となる周知の手段を採用してよいが、その手段として、例えば、ターンバックルを採用することができる。
【００１４】
また、前記高さ調整手段を、連続する一つの取付け梁を支える少なくとも二つの前記吊部材にそれぞれ設けた構成を採用することができる。すなわち、高さ調整手段は、一枚のパネルに対して、そのパネルに対応する取付梁に少なくとも１箇所設けることによって所定の効果を発揮し得るが、一枚のパネルに対して対応する取付梁に複数の高さ調整手段を設けた構成とすることが望ましい。パネルに対して複数の高さ調整手段が寄与することによって、桁の撓みに対するきめ細かな高さ調整が可能である。
【００１５】
また、前記高さ調整手段を備えた少なくとも二つの前記吊部材の間に、一方の前記吊部材の上端と他方の前記吊部材の下端とを結ぶブレースを設けることができる。そのブレースに加え、他方の前記吊部材の上端と一方の前記吊部材の下端とを結ぶブレースを設けてもよい。ブレースを設けることにより、交通による振動や風や地震などの力により取付梁やパネルが揺れるのを防止することができる。
【００１６】
これらのパネルの取付方法によるパネルの取付構造として、以下の構造を採用することができる。
すなわち、前記桁に、高さ調整手段を備えた吊部材を介して取付梁を吊し、その取付梁に固定手段によって前記パネルが固定されており、前記高さ調整手段により、前記桁上への床板の施工に伴う前記桁の各部の撓み量に応じて前記桁と前記取付梁との高低差を調整可能となっていることを特徴とするパネルの取付構造である。
【００１７】
なお、前記高さ調整手段として、例えば、ターンバックルを採用することができる。また、前記高さ調整手段を、連続する一つの取付梁を支える少なくとも二つの前記吊部材にそれぞれ設けた構成を採用することができる。
【００１８】
また、前記高さ調整手段を備えた少なくとも二つの前記吊部材の間に、一方の前記吊部材の上端と他方の前記吊部材の下端とを結ぶブレースを設けた構成を採用することができる。そのブレースに加え、他方の前記吊部材の上端と一方の前記吊部材の下端とを結ぶブレースを設けてもよい。ブレースを設けることにより、交通による振動や風や地震などの力により取付梁やパネルが揺れるのを防止することができる。
【発明の効果】
【００１９】
この発明は、床板の施工によって桁が撓んだ際に、高さ調整手段により、桁の各部の撓み量に応じてその桁と取付梁との高低差を調整できるので、床板の施工前に、あるいは施工中に、桁に対してパネルを取り付けできる。
【発明を実施するための最良の形態】
【００２０】
この発明の実施形態を、図面に基づいて説明する。図１は、橋梁に用いられる桁２の全体図である。
【００２１】
この桁２が、添接板等を介して橋軸方向（図１（ａ）（ｂ）に示す左右方向）に複数連結され、その連結された桁２が、クレーン等により橋脚や橋台の上に架設される。
その架設された桁２には、その下面を覆う吸音用のパネル３が取り付けられている。また、その桁２の上には、鋼、コンクリート等による床板４が施工されて桁２と床板４とが一体である（図６参照）。なお、図１、図２（ａ）〜図２（ｄ）は、連結される前の桁２を示しているから、床板４、橋脚、橋台等は図示していない。
【００２２】
以下、この桁２の架設、及び、その桁２へのパネル３の取り付け、床板４の施工について、順に説明する。
【００２３】
図２（ａ）は、前記桁２を橋脚や橋台の上に架設した状態を示す。この状態で、床板４は未施工である。その桁２の下に、吊足場（足場）６が設置されている。吊足場６は、桁２にワイヤ等で吊り下げられて支持されている。
【００２４】
この吊足場６上に作業者が立って、桁２に取付梁１を固定する作業を行う。この実施形態では、桁２は、図２（ａ）に示すように、上フランジ２ａと下フランジ２ｂ、及びその上下フランジ２ａ，２ｂ間を結ぶウェブ２ｃとを備えたＩ桁である。
【００２５】
そのＩ桁の前記下フランジ２ｂに、図２（ｂ）に示すように、吊部材１１の固定治具１３を固定する。固定治具１３は、下フランジ２ｂの上面に接する上部部材１３ａと、下フランジ２ｂの下面に接する下部部材１３ｂとを、それぞれ前記ウェブ２ｃを挟んで両側に有している。
その上部部材１３ａと下部部材１３ｂとの間の隙間１３ｃに、前記桁２の下フランジ２ｂの幅方向両端がそれぞれ嵌め込まれ、その状態で、適宜の締付け手段によって桁２に対して動かないように固定されている。
【００２６】
また、吊部材１１は、高さ調整手段１０としてのターンバックル１２を備えている。前記固定治具１３には、図２（ｂ）に示すように、係止部１３ｄが備えられている。その係止部１３ｄに前記ターンバックル１２の上端１２ａが係止され、そのターンバックル１２の下端１２ｂには前記取付梁１が係止される。これにより、取付梁１は、吊部材１１を介してその桁２に吊りさげられた状態となる。
【００２７】
取付梁１は、図１（ａ）（ｂ）に示すように、橋軸方向に沿って長い縦梁１４と、橋軸直角方向に向く横梁１５とが格子状に組まれた形態となっている。縦梁１４は桁２の下フランジ２ｂの下方に位置し、横梁１５は、その縦梁１４の長さ方向に沿って数カ所に設けられている。
【００２８】
その取付梁１は、上フランジ１ａと下フランジ１ｂと、その上下フランジ１ａ，１ｂ間を結ぶウェブ１ｃとを有すＨ形鋼である。なお、前記ターンバックル１２の下端１２ｂは、前記上フランジ１ａに溶接固定された係止部に係止されている。
【００２９】
取付梁１が設けられた後、続いて、パネル３を取付梁１に取付ける作業に取り掛かる。このパネル３の取付けに際し、桁２から足場６を吊っているワイヤーがパネル３と干渉するため、ワイヤーは横梁１５から吊すようにもりかえる（図２（ｃ）参照）。その後、前記足場６又は横梁１５等に掛け渡した足場等を利用して、パネル３を取付梁１に固定する。このとき、横梁１５の下フランジには、パネル３同士の隙間を通るような取付金具が予め設置してあり、ワイヤーはパネル３と干渉しないようになっている。
なお、パネル３の取付梁１への固定は、例えば、前述の固定手段２０等を採用することができる（例えば、図５（ａ）（ｂ）参照）。
【００３０】
このように取付梁１にパネル３を固定した後、その桁２上に床板４を施工する。床板４は、コンクリート床板や合成床板等を採用することができる。
床板４を施工すると、その床板４の自重が桁２に作用して、桁２が下方に撓む。この撓み量は径間の中央で大きく、支点に近づくほど徐々に小さくなるので、桁２の全長に亘って撓み量は場所ごとに異なる。
【００３１】
この桁２の撓みに伴って、その桁２の下に取り付けた取付梁１も撓んでいく。このとき、高さ調整手段１０のターンバックル１２の上端１２ａと下端１２ｂ間の長さを調節することにより、桁２の各部の撓み量に応じて、その桁２と取付梁１との高低差を調整し、取付梁１の歪みを解消することができる。
【００３２】
また、この実施形態では、図２（ｄ）に示すように、橋軸直角方向に隣り合う前記吊部材１１，１１の間において、一方の前記吊部材１１の上端と他方の前記吊部材１１の下端とを結ぶブレース１６、及び、他方の前記吊部材１１の上端と一方の前記吊部材１１の下端とを結ぶブレース１６を設けて、ブレース１６，１６同士をクロスさせて配置している。
このブレース１６は、交通による振動や風や地震などの力により取付梁１やパネル３に横揺れが生じないようにする振れ止めの効果を発揮している。
【００３３】
また、この実施形態では、図１に示すように、橋軸方向に隣り合う前記吊部材１１，１１の間において、他方の前記吊部材１１の上端と一方の前記吊部材１１の下端とを結ぶブレース１７を設けているので、橋軸直角方向の前記ブレース１６と同様、前記振れ止めの効果を発揮している。
さらに、この橋軸方向のブレース１７について、前記橋軸直角方向のブレース１６と同様に、一方の前記吊部材１１の上端と他方の前記吊部材１１の下端とを結ぶブレース１７、及び、他方の前記吊部材１１の上端と一方の前記吊部材１１の下端とを結ぶブレース１７を設けて、そのブレース１７，１７同士をクロスさせて配置してもよい。
【００３４】
また、これらのブレース１６，１７を掛け渡す二つの吊部材１１，１１は、一つの連続する取付梁１を支える複数の吊部材１１の中から、任意の二つを選択することができる。このため、例えば、平面視橋軸方向及び橋軸直角方向に交差する方向に沿って、すなわち、格子状の前記取付梁１に対して平面視対角線方向に前記ブレース１６，１７を配置してもよい。
【００３５】
また、これらのブレース１６，１７を取付ける位置は、必ずしも吊部材１１の上端や下端ではなくとも、振れ止めの効果を発揮できる箇所であれば他の箇所でもよい。例えば、図３に示すように、ブレースの下端は、取付梁１上の適当な箇所を選択できる。さらに、ブレースの上端も桁２の適当な箇所とすることができる。
【００３６】
さらに、例えば、図４に示すように、橋軸直角方向に相互に隣り合う複数の前記吊部材１１，１１，１１の間において、一つの前記吊部材１１の上端とその両側に隣接する他の前記吊部材１１，１１の下端とを結ぶブレース１６をそれぞれ設けてもよい。すなわち、図２（ｄ）に示すように、２本のブレース１６，１６を隣り合う吊部材１１，１１間でクロスさせない構成とすることもできる。
【００３７】
なお、これらのブレース１６，１７にターンバックルを用いれば、長さ及び張力の調整が行いやすい。
【００３８】
また、これらの各実施形態では、床板４の施工前にパネル３の取付けを行う実施形態を示したが、床板４の施工中に同時に実施することもできる。さらに、床板４の施工後であっても、桁２に撓みを生じさせる地覆、高欄、防音壁、舗装などの施工前、あるいは施工中であれば、高さ調整ができる機能やパネル３の変形や脱落を防止できる機能を有効に活かすことができる。
【００３９】
これらの実施形態では、桁２の構成としてＩ桁が橋軸直角方向に並列した構成について説明したが、例えば、ボックス桁にも有効であり、それ以外にも、床板４をトラス桁で支えた構成などにおいても、この発明のパネルの取付構造、取付方法を採用することができる。
【図面の簡単な説明】
【００４０】
【図１】（ａ）は一実施形態の正面図、（ｂ）はその平面図
【図２（ａ）】桁の下に吊足場を組んだ状態を示す側面図
【図２（ｂ）】桁の下に吊部材を介して取付梁を設けた状態を示す側面図
【図２（ｃ）】吊足場を取付梁から吊すようにもりかえた後の側面図
【図２（ｄ）】取付梁にパネルを固定した状態を示す側面図
【図３】（ａ）は他の実施形態の正面図、（ｂ）はその平面図
【図４】他の実施形態の正面図
【図５】固定手段の詳細を示し、（ａ）は正面図、（ｂ）は側面図
【図６】従来例の側面図
【符号の説明】
【００４１】
１  取付梁
１ａ，２ａ  上フランジ
１ｂ，２ｂ  下フランジ
１ｃ，２ｃ  ウェブ
１ｄ，３ｂ  長孔
２  桁
３  パネル
３ｃ  嵌合部
３ｄ  係止部
４  床板
５  固定用治具
６  足場（吊足場）
７  ボルト
７ａ  ナット
７ｂ  頭部
７ｃ  軸部
１０  高さ調整手段
１１  吊部材
１２  ターンバックル
１２ａ  上端
１２ｂ  下端
１３  固定治具
１３ａ  上部部材
１３ｂ  下部部材
１３ｃ  隙間
１３ｄ  係止部
１４  縦梁
１５  横梁
１６，１７  ブレース
２０  固定手段
【図１】
2010065431.tif 000003
【図２（ａ）】
2010065431.tif 000004
【図２（ｂ）】
2010065431.tif 000005
【図２（ｃ）】
2010065431.tif 000006
【図２（ｄ）】
2010065431.tif 000007
【図３】
2010065431.tif 000008
【図４】
2010065431.tif 000009
【図５】
2010065431.tif 000010
【図６】
2010065431.tif 000011